(57)【要約】【課題】集成材を用いて形成された耐火受け材の接合部分の燃え止まり層をプレカットすることなく、接合金物を介して耐火梁を接合できるようにする耐火梁の接合部構造を提供する。【解決手段】集成材による耐火受け梁１１に、集成材による耐火梁１２の端部を、接合金物１３を介して接合するための耐火梁の接合部構造１０であって、耐火受け梁１１及び耐火梁１２は、荷重支持層１１ａ，１２ａと、荷重支持層１１ａ，１２ａの周囲の燃え止まり層１１ｂ，１２ｂとを含んで構成されている。耐火受け梁１１の燃え止まり層１１ｂは、集成材のラミナ１４の積層方向Ｘと垂直な方向Ｙに連接して荷重支持層１１ａを形成する対称異等級集成材と、同じ強度等級及び層構成の対称異等級集成材によって形成されており、燃え止まり層１１ｂの表面部分に取り付けられた接合金物１３を介して、耐火梁１２の端部が、耐火受け梁１１の側面部分に接合されている。【選択図】図４
2018184732.tif 000002
【特許請求の範囲】
【請求項１】
日本農林規格によって規格された集成材による耐火受け梁又は耐火受け柱に、日本農林規格によって規格された集成材による耐火梁の端部を、接合金物を介して接合するための集成材による耐火梁の接合部構造であって、
前記耐火受け梁又は耐火受け柱、及び前記耐火梁は、荷重支持層と、該荷重支持層の周囲に配置された燃え止まり層とを含んで構成されており、
前記耐火受け梁又は耐火受け柱の燃え止まり層は、集成材のラミナの積層方向と垂直な方向に連接して前記荷重支持層を形成する集成材と、同じ強度等級及び層構成の集成材によって形成されており、該燃え止まり層の表面部分に取り付けられた接合金物を介して、前記耐火梁の端部が、前記耐火受け梁又は耐火受け柱に接合されている集成材による耐火梁の接合部構造。
【請求項２】
日本農林規格によって規格された集成材による耐火受け梁又は耐火受け柱に、日本農林規格によって規格された集成材による耐火梁の端部を、接合金物を介して接合するための集成材による耐火梁の接合部構造であって、
前記耐火受け梁又は耐火受け柱、及び前記耐火梁は、荷重支持層と、該荷重支持層の周囲に配置された燃え止まり層とを含んで構成されており、
前記耐火受け梁又は耐火受け柱の燃え止まり層は、集成材のラミナの積層方向に連接して前記荷重支持層を形成する集成材の、内層用ラミナの外側に配置される中間層用ラミナから最外層用ラミナまでの層構成と同じ層構成を備えており、該燃え止まり層の表面部分に取り付けられた接合金物を介して、前記耐火梁の端部が、前記耐火受け梁又は耐火受け柱に接合されている集成材による耐火梁の接合部構造。
【請求項３】
日本農林規格によって規格された前記集成材が、対称異等級集成材である請求項１又は２に記載の集成材による耐火梁の接合部構造。
【請求項４】
日本農林規格によって規格された集成材による耐火梁であって、
荷重支持層と、該荷重支持層の周囲に配置された燃え止まり層とを含んで構成されており、
前記燃え止まり層は、集成材のラミナの積層方向と垂直な方向に連接して前記荷重支持層を形成する集成材と、同じ強度等級及び層構成の集成材によって形成されている耐火梁。
【請求項５】
日本農林規格によって規格された集成材による耐火梁であって、
荷重支持層と、該荷重支持層の周囲に配置された燃え止まり層とを含んで構成されており、
前記燃え止まり層は、集成材のラミナの積層方向に連接して前記荷重支持層を形成する集成材の、内層用ラミナの外側に配置される中間層用ラミナから最外層用ラミナまでの層構成と同じ層構成を備えている耐火梁。
【請求項６】
日本農林規格によって規格された集成材による耐火柱であって、
荷重支持層と、該荷重支持層の周囲に配置された燃え止まり層とを含んで構成されており、
前記燃え止まり層は、集成材のラミナの積層方向と垂直な方向に連接して前記荷重支持層を形成する集成材と、同じ強度等級及び層構成の集成材によって形成されている耐火柱。
【請求項７】
日本農林規格によって規格された集成材による耐火柱であって、
荷重支持層と、該荷重支持層の周囲に配置された燃え止まり層とを含んで構成されており、
前記燃え止まり層は、集成材のラミナの積層方向に連接して前記荷重支持層を形成する集成材の、内層用ラミナの外側に配置される中間層用ラミナから最外層用ラミナまでの層構成と同じ層構成を備えている耐火柱。
【発明の詳細な説明】
【技術分野】
【０００１】
本発明は、集成材による耐火梁の接合部構造に関し、特に、集成材による耐火受け梁又は耐火受け柱に、集成材による耐火梁の端部を接合するための集成材による耐火梁の接合部構造に関する。
【背景技術】
【０００２】
集成材は、断面寸法の小さな木製の板材（ラミナ）を、接着剤を用いて再構成することにより作られる木質材料であり、家具や内装などに使う造作用のものの他、強度や耐水性等に関して、厳格な規定や検査基準の下で品質管理されることにより、構造用の木質材料としても用いられている。集成材は、小径木や間伐材から得られた小さな木材（ラミナ）を用いて形成することが可能であり、大径木の木材を用いなくても、大断面の木質材料を製材できることから、近年、構造用の木質材料として多用されている。
【０００３】
構造用の木質材料として用いられる集成材を品質管理するための規格として、日本農林規格（ＪＡＳ）が知られている。集成材の日本農林規格では、例えば集成され、接着される前のラミナについて、ヤング率による等級区分がなされるようになっており、保証荷重試験機による試験を行って、強度の弱いラミナは排除されると共に、特に対称異等級構成の構造用集成材を形成する場合には、ヤング率の高いラミナ程、集成材の外層部分のラミナとして使用されるように規格されている。
【０００４】
また、例えば日本の住宅建築物では、構造材である木製の梁の木の表面を、室内に露出させて現したデザインが好まれている。このような梁を現した木質空間は、火災時に構造材である梁の露出した部分が直接加熱を受けて、燃焼し易い状態にあることから、防耐火性能上の非損傷性（火災加熱を受けても建物を支える荷重に耐えたまま、崩壊しない性能）を確保する必要がある。
【０００５】
このため、例えば木造の準耐火構造物において梁の現し設計を行う場合、建築基準法「Ｈ１２年建設省告示第１３５８号第二項のハ」に示す、燃え代設計を行うのが一般的である。燃え代設計は、長期構造耐力や地震時等の短期構造耐力に対して必要な断面に、所定の燃え代分（例えば準耐火構造４５分における集成材では３５ｍｍ、例えば１時間準耐火構造における集成材では４５ｍｍ）を足す設計手法である。
【０００６】
このようなことから、集成材を用いて形成された構造材として、荷重支持層と、荷重支持層の周囲に配置された、所定の燃え代厚さを有する燃え止まり層とを備える木質構造材が、種々提案されている（例えば、特許文献１、特許文献２、特許文献３参照）。
【先行技術文献】
【特許文献】
【０００７】
【特許文献１】特許第４０６５４１６号公報
【特許文献２】特許第４２９２１１９号公報
【特許文献３】特許第４６１７１７１号公報
【発明の概要】
【発明が解決しようとする課題】
【０００８】
上記従来の、集成材を用いて形成された、荷重支持層と、これの周囲に配置された燃え止まり層とを備える木質構造材によれば、燃え止まり層は、荷重を支持する部分としては設計されておらず、火災時の燃焼で炭化することによって、これの内側の荷重支持層まで燃焼が及ばないようするものとして設計されたものとなっている。このため、集成材を用いて形成された木質構造材を、例えば荷重支持層と燃え止まり層とを備える耐火受け梁として用いて、これの側面に、別の耐火梁を、接合金物を介して接合する場合には、図８（ａ）、（ｂ）に示すように、耐火受け梁１１’における接合部分の燃え止まり層１１ｂ’をプレカットし、荷重支持層１１ａ’を露出させた上で、露出させた荷重支持層１１ａ’の側面に接合金物１３’を取り付けると共に、この接合金物１３’を介して、別の耐火梁１２’の荷重支持層１２ａ’の端面を、耐火受け梁１１’の荷重支持層１１ａ’に直接に一体として接合するといった施工方法が採用されていた。
【０００９】
しかしながら、集成材を用いて形成された荷重支持層と燃え止まり層とを備える木質構造材による、例えば耐火受け梁の側面に、別の耐火梁の端面を、接合金物を介して接合する際に、耐火受け梁における接合部分の燃え止まり層をプレカットして荷重支持層を露出させ上で、接合金物を取り付けて耐火梁を耐火受け梁の荷重支持層に直接に一体として接合するといった施工方法では、施工の複雑化やコストアップの要因となる。このようなことから、例えば耐火受け梁等の耐火受け材における接合部分の燃え止まり層を、プレカットすることなく、耐火梁の端面を、接合金物を介して耐火受け材に容易に接合できるようにして、工期の短縮やコストの削減を図ることを可能にする、新たな技術の開発が望まれている。
【００１０】
本発明は、集成材を用いて形成された荷重支持層と燃え止まり層とを備える木質構造材による、耐火受け材における接合部分の燃え止まり層をプレカットすることなく、耐火梁の端面を、接合金物を介して耐火受け梁に容易に接合できるようにして、工期の短縮やコストの削減を図ることのきる集成材による耐火梁の接合部構造を提供することを目的とする。
【課題を解決するための手段】
【００１１】
本発明は、日本農林規格によって規格された集成材による耐火受け梁又は耐火受け柱に、日本農林規格によって規格された集成材による耐火梁の端部を、接合金物を介して接合するための集成材による耐火梁の接合部構造であって、前記耐火受け梁又は耐火受け柱、及び前記耐火梁は、荷重支持層と、該荷重支持層の周囲に配置された燃え止まり層とを含んで構成されており、前記耐火受け梁又は耐火受け柱の燃え止まり層は、集成材のラミナの積層方向と垂直な方向に連接して前記荷重支持層を形成する集成材と、同じ強度等級及び層構成の集成材によって、不燃材料や難燃薬剤を用いることなく形成されており、該燃え止まり層の表面部分に取り付けられた接合金物を介して、前記耐火梁の端部が、前記耐火受け梁又は耐火受け柱に接合されている集成材による耐火梁の接合部構造を提供することにより、上記目的を達成したものである。
【００１２】
また、本発明は、日本農林規格によって規格された集成材による耐火受け梁又は耐火受け柱に、日本農林規格によって規格された集成材による耐火梁の端部を、接合金物を介して接合するための集成材による耐火梁の接合部構造であって、前記耐火受け梁又は耐火受け柱、及び前記耐火梁は、荷重支持層と、該荷重支持層の周囲に配置された燃え止まり層とを含んで構成されており、前記耐火受け梁又は耐火受け柱の燃え止まり層は、集成材のラミナの積層方向に連接して前記荷重支持層を形成する集成材の、内層用ラミナの外側に配置される中間層用ラミナから最外層用ラミナまでの層構成と同じ層構成を備えていて、不燃材料や難燃薬剤を用いることなく形成されており、該燃え止まり層の表面部分に取り付けられた接合金物を介して、前記耐火梁の端部が、前記耐火受け梁又は耐火受け柱に接合されている集成材による耐火梁の接合部構造を提供することにより、上記目的を達成したものである。
【００１３】
そして、本発明の集成材による耐火梁の接合部構造は、日本農林規格によって規格された前記集成材が、対称異等級集成材であることが好ましい。
【００１４】
また、本発明は、日本農林規格によって規格された集成材による耐火梁であって、荷重支持層と、該荷重支持層の周囲に配置された燃え止まり層とを含んで構成されており、前記燃え止まり層は、集成材のラミナの積層方向と垂直な方向に連接して前記荷重支持層を形成する集成材と、同じ強度等級及び層構成の集成材によって形成されている耐火梁に関する。
【００１５】
さらに、本発明は、日本農林規格によって規格された集成材による耐火梁であって、荷重支持層と、該荷重支持層の周囲に配置された燃え止まり層とを含んで構成されており、前記燃え止まり層は、集成材のラミナの積層方向に連接して前記荷重支持層を形成する集成材の、内層用ラミナの外側に配置される中間層用ラミナから最外層用ラミナまでの層構成と同じ層構成を備えている耐火梁に関する。
【００１６】
さらにまた、本発明は、日本農林規格によって規格された集成材による耐火柱であって、荷重支持層と、該荷重支持層の周囲に配置された燃え止まり層とを含んで構成されており、前記燃え止まり層は、集成材のラミナの積層方向と垂直な方向に連接して前記荷重支持層を形成する集成材と、同じ強度等級及び層構成の集成材によって形成されている耐火柱に関する。
【００１７】
また、本発明は、日本農林規格によって規格された集成材による耐火柱であって、荷重支持層と、該荷重支持層の周囲に配置された燃え止まり層とを含んで構成されており、前記燃え止まり層は、集成材のラミナの積層方向に連接して前記荷重支持層を形成する集成材の、内層用ラミナの外側に配置される中間層用ラミナから最外層用ラミナまでの層構成と同じ層構成を備えている耐火柱に関する。
【発明の効果】
【００１８】
本発明の集成材による耐火梁の接合部構造によれば、集成材を用いて形成された荷重支持層と燃え止まり層とを備える木質構造材による、耐火受け材における接合部分の燃え止まり層をプレカットすることなく、耐火梁の端面を、接合金物を介して耐火受け材に容易に接合できるようにして、工期の短縮やコストの削減を図ることができる。
【図面の簡単な説明】
【００１９】
【図１】本発明の好ましい一実施形態に係る集成材による耐火梁の接合部構造を説明する、耐火受け梁と耐火梁との接合部分の分解略示斜視図である。
【図２】本発明の好ましい一実施形態に係る集成材による耐火梁の接合部構造を説明する、耐火受け梁と耐火梁との接合部分の略示平断面図である。
【図３】本発明の好ましい一実施形態に係る集成材による耐火梁の接合部構造を説明する、図２のＡ−Ａに沿った略示断面図である。
【図４】耐火受け梁のラミナ構成を説明する、図２のＡ−Ａに沿った略示断面図である。
【図５】（ａ）は、耐火受け梁のラミナ構成を説明する断面図、（ｂ）は、他の耐火受け梁のラミナ構成を説明する断面図である。
【図６】本発明の好ましい他の実施形態に係る集成材による耐火梁の接合部構造を説明する、耐火受け柱と耐火梁との接合部分の略示平断面図である。
【図７】（ａ）は、耐火受け柱のラミナ構成を説明する平断面図、（ｂ）は、他の耐火受け柱のラミナ構成を説明する平断面図である。
【図８】従来の集成材による耐火梁の接合部構造を説明する、（ａ）は、耐火受け梁と耐火梁との接合部分の分解略示斜視図、（ｂ）は略示平断面図である。
【発明を実施するための形態】
【００２０】
本発明の好ましい一実施形態に係る集成材による耐火梁の接合部構造１０は、例えば木造の住宅建築物を構築する際に、図１〜図３に示すように、耐火受け材として、例えば集成材によって形成された耐火受け梁１１の側面に、他の耐火梁１２の端面を接合することによって、耐火受け梁１１と耐火梁１２とが一体となった骨組み構造を形成して、所望の構造耐力を得ることを可能にする接合部の構造として採用されたものである。本実施形態では、耐火受け梁１１と耐火梁１２とは、いずれも日本農林規格による所望の強度を備える構造用集成材によって形成されており、特に耐火受け梁１１は、好ましくは対称異等級構成の構造用集成材によって形成されている。
【００２１】
また、本実施形態では、集成材による耐火受け梁１１と耐火梁１２とは、いずれも防耐火性能上の非損傷性を確保できるように、長期構造耐力や地震時等の短期構造耐力に対して必要な断面に、所定の燃え代分を加える燃え代設計がなされており、荷重支持層１１ａ，１２ａと、荷重支持層１１ａ，１２ａの周囲に配置された所定の燃え代厚さを有する燃え止まり層１１ｂ，１２ｂとを備える、木質構造材となっている。このような荷重支持層１１ａ，１２ａと燃え止まり層１１ｂ，１２ｂとを備える耐火受け梁１１に、他の耐火梁１２の端面を、接合金物１３を介して接合する場合、従来の施工方法では、例えば図８に示すように、耐火受け梁１１’における接合部分の燃え止まり層１１ｂ’をプレカットし、荷重支持層１１ａ’を露出させた上で、露出させた荷重支持層１１ａ’の側面に接合金物１３’を取り付けると共に、この接合金物１３’を介して、耐火梁１２’の荷重支持層１２ａ’の端面を、耐火受け梁１１’の荷重支持層１１ａ’に直接に一体として接合していたが、このような施工方法は、施工の複雑化やコストアップの要因となっていた。
【００２２】
本実施形態の集成材による耐火梁の接合部構造１０は、このような荷重支持層１１ａ，１２ａと燃え止まり層１１ｂ，１２ｂとを備える耐火受け梁１１に、他の耐火梁１２の端面を、接合金物１３を介して接合する際に、耐火受け梁１１を形成する集成材を構成する、積層されるラミナ（木製の板材）１４の層構成を工夫することによって、集成材を用いて形成された荷重支持層１１ａと燃え止まり層１１ｂとを備える耐火受け材１１における、接合部分の燃え止まり層１１ｂを、プレカットすることなく、耐火梁１２の端面を、接合金物１３を介して、耐火受け材１１に容易に接合できるようにして、工期の短縮やコストの削減を図ることができるようにするものである。
【００２３】
そして、本実施形態の集成材による耐火梁の接合部構造１０は、日本農林規格によって規格された集成材による耐火受け梁１１に、日本農林規格によって規格された集成材による耐火梁１２の端部を、図１〜図３に示すように、接合金物１３を介して接合するための接合部の構造であって、耐火受け梁１１及び耐火梁１２は、荷重支持層１１ａ，１２ａと、荷重支持層１１ａ，１２ａの周囲に配置された燃え止まり層１１ｂ，１２ｂとを含んで構成されている。図４及び図５（ａ）に示すように、耐火受け梁１１の燃え止まり層１１ｂは、集成材のラミナ１４の積層方向Ｘと垂直な方向Ｙに連接して荷重支持層１１ａを形成する集成材と、同じ強度等級及び層構成の集成材によって、不燃材料や難燃薬剤を用いることなく形成されており、燃え止まり層１１ｂの表面部分に取り付けられた接合金物１３（図１参照）を介して、耐火梁１２の端部が、耐火受け梁１１の側面部分に接合されている。
【００２４】
耐火受け梁１１の燃え止まり層１１ｂが、荷重支持層１１ａを形成する集成材と同じ強度等級及び層構成の集成材によって、不燃材料や難燃薬剤を用いることなく形成されていることで、燃え止まり層１１ｂを含んだ耐火受け梁１１の全断面が、日本農林規格（ＪＡＳ）による構造用の木質材料として認められることになる。これによって、燃え止まり層に不燃材料や薬剤注入ラミナを使用していた従来の接合構造のように、不燃材料や薬剤注入ラミナが日本農林規格（ＪＡＳ）による構造用の木質材料として認められていないことから、上述のように、耐火受け梁１１’における接合部分の燃え止まり層１１ｂ’をプレカットした上で、露出させた荷重支持層１１ａ’の側面に接合金物１３’を取り付けて、耐火梁１２’を接合するといった必要を無くして、燃え止まり層１１ｂの表面部分に取り付けられた接合金物１３を介して、耐火梁１２の端部を、耐火受け梁１１の側面部分に容易に接合することが可能になる。
【００２５】
また、本実施形態では、耐火受け梁１１や耐火梁１２を形成する、日本農林規格によって規格された集成材は、好ましくは対称異等級集成材となっており、例えば日本農林規格による強度等級がＥ１０５−Ｆ３００の集成材となっている。
【００２６】
ここで、日本農林規格では、構造用集成材について、外面の品質だけでなく、見ただけではわかりにくい接着性能、強度性能、ホルムアルデヒド放散量などについて、試験方法と適合基準が定められており、これら検査項目に合格する構造用集成材ついて、使用者に対する品質を保証できるようになっている。また、日本農林規格は、構造用集成材に対して、使用される場合の最低基準を保証しており、保証された構造用集成材は、日本農林規格に定める基準以上の品質を持つ製品であるということになる。構造用集成材の原材料である木材は、天然物であるために、製品の品質にいくらかのばらつきがあるが、日本農林規格では、そのばらつきが一定の範囲内にあることも含めて基準化しており、構造用集成材の使用に際しては、使用者は、用途に応じた集成材の品種を、接着性能、強度性能、その他の性能によって選択し、安心して使用できる集成材を選ぶことができるようになっている。
【００２７】
また、日本農林規格では、構造用集成材について、断面の大きさにより、大断面（短辺が１５ｃｍ以上、断面積が３００ｃｍ2以上のもの。）と、中断面（短辺が７．５ｃｍ以上、長辺が１５ｃｍ以上のもの。）と、小断面（短辺が７．５ｃｍ未満または長辺が１５ｃｍ未満のもの。）とに区分されており、またラミナ(ひき板)の構成により、同じ品質のラミナを積層した同一等級構成集成材と、外側の層ほど強度の強いラミナを配置して積層した、異等級構成集成材(対称構成、非対称構成、特定構成)とに区分されている。
【００２８】
これらのうち、好ましくは対称構成の異等級構成集成材（対称異等級集成材）は、異等級構成集成材のうち、ラミナの品質の構成が中心軸に対して対称となっているものであり、例えばカラマツを樹種とする強度等級がＥ１０５−Ｆ３００の構造用集成材（図５（ａ）参照）や、ベイマツを樹種とする強度等級がＥ１２０−Ｆ３３０（図５（ｂ）参照）の構造用集成材を用いることができる。ここで、強度等級は、曲げヤング係数(たわみにくさの指標を表す)Ｅと曲げ強さを表すＦとの組み合わせの等級区分によって表示されるようになっており、Ｅ−Ｆの等級は、樹種やラミナの構成等により複数の種類が規定されている。また、図５（ａ）、（ｂ）における、例えばＬ１２５とは、ラミナの曲げヤング係数が１２．５（Ｇｐａ又は１０3Ｎ／ｍｍ2）であることを示している。
【００２９】
そして、本実施形態では、耐火受け梁１１は、荷重支持層１１ａと、荷重支持層１１ａの周囲に配置された燃え止まり層１１ｂとを含んで構成されており、荷重支持層１１ａは、図４及び図５（ａ）に示すように、例えば対称異等級集成材として、好ましくは日本農林規格による強度等級がＥ１０５−Ｆ３００の集成材によって形成されており、燃え止まり層１１ｂもまた、荷重支持層１１ａと同じ強度等級及び層構成の例えば対称異等級集成材として、好ましくはＥ１０５−Ｆ３００の集成材によって、不燃材料や難燃薬剤を用いることなく形成されている。
【００３０】
すなわち、本実施形態では、耐火受け梁１１は、好ましくは強度等級がＥ１０５−Ｆ３００の層構成を備える対称異等級集成材である集成材ブロック１５を、３体、ラミナ１４の積層方向Ｘと垂直な方向Ｙに接合一体化することによって形成されており、各々の集成材ブロック１５は、強度の最も弱い内層用ラミナとして、Ｌ９０のラミナ１４を３層配置し、次に強度の大きな中間層用ラミナとして、Ｌ１００のラミナ１４を、内層用ラミナの上方及び下方に１層ずつ配置し、次に強度の大きな外層用ラミナとして、Ｌ１１０のラミナ１４を、内層用ラミナの上方及び下方に１層ずつ配置し、次に強度の大きな最外層用ラミナとして、Ｌ１２５のラミナ１４を、外層用ラミナの上方及び下方に１層ずつ配置すると共に、これらの積層したラミナ１４を、例えばレゾルシノール樹脂接着剤を用いて互いに接合一体化することによって、得られるようになっている。
【００３１】
また、本実施形態では、好ましくはＥ１０５−Ｆ３００の層構成を備える対称異等級集成材である集成材ブロック１５は、これのさらに下方に接合一体されて、耐火受け梁１１の下部の燃え止まり層１１ｂを形成する、下部ラミナ層１５ａを備えている。下部ラミナ層１５ａは、Ｅ１０５−Ｆ３００の層構成を備える対称異等級集成材における、内層用ラミナの外側に配置される中間層用ラミナから最外層用ラミナまでの層構成と同じ層構成である、Ｌ１００のラミナ１４と、Ｌ１１０のラミナ１４と、Ｌ１２５のラミナ１４とを積層した、３層の層構成を備えている。
【００３２】
上述の構成を有する３体の集成材ブロック１５は、好ましくはレゾルシノール・フェノール樹脂接着剤又はレゾルシノール樹脂接着剤に増粘剤を混入させた接着剤を用いて、ラミナ１４の積層方向Ｘと垂直な方向Ｙに一体として接合される。これによって、本実施形態では、図４及び図５（ａ）に示すような、荷重支持層１１ａと、燃え止まり層１１ｂとを含んで構成されており、燃え止まり層１１ｂが、集成材のラミナ１４の積層方向Ｘと垂直な方向Ｙに連接して荷重支持層１１ａを形成する対称異等級集成材１４と、同じ強度等級及び層構成の対称異等級集成材１４によって形成されている、耐火受け梁１１が得られるようになっている。
【００３３】
ここで、耐火受け梁１１における荷重支持層１１ａと燃え止まり層１１ｂとは、複数のラミナ１４を積層して得られる積層ブロックを、複数接合して耐火受け梁１１が形成された際に、複数の積層ブロックの接合部等による、物理的な境界によって区画されている必要は必ずしも無く、設計上得られた仮想の境界線によって、荷重支持層１１ａと燃え止まり層１１ｂとが区画されていても良い。本実施形態では、荷重支持層１１ａは、耐火受け梁１１の幅方向（Ｙ方向）においては、中央の集成材ブロック１５から、両側の集成材ブロック１５の一部に跨るように区画されて設けられており、耐火受け梁１１の上下方向（Ｘ方向）においては、各々の集成材ブロック１５の、Ｅ１０５−Ｆ３００の層構成を備える対称異等級集成材の部分と、これの下方に配置された、中間層用ラミナから最外層用ラミナまでの層構成と同様の３層の下部ラミナ層１５ａの部分との境界線によって、燃え止まり層１１ｂと区画されて設けられている。
【００３４】
さらに、本実施形態では、本願出願人の出願に係る特願２０１７−６５４６６に記載されるように、燃え止まり層１１ｂを形成する集成材のラミナ１４は、ラミナの積層方向における全体が、木表どうしの積層面を有しないように複数本のラミナ１４が積層接着されたラミナの積層構造を有していることが好ましい。これによって、耐火受け梁１１が火災時の火炎に晒された際に、該燃え止まり層１１ｂに形成される炭化層に、ラミナ１４の木表どうしの積層面に沿って大きな割れが生じることや、そのような割れに起因して炭化層の一部が欠落することが抑制され、耐火受け梁１１の燃え止まり層１１ｂの側面付近に、熱伝導の抑制効果又は酸素遮断効果に優れた密な炭化層が形成されることになる。またこれによって、耐火受け梁１１の燃え止まり層１１ｂは、難燃薬剤等を配合しなくても十分な燃え止まり機能を有し、優れた耐火性能を発揮することが可能になる。
【００３５】
ここで、ラミナの木表は、幅が広い相対向する２面のうちの原木の樹芯から遠い方の面であり、ラミナの木裏は、当該２面のうち原木の樹芯に近い方の面である。燃え止まり層１１ｂを形成する集成材のラミナ１４は、全てが木表及び木裏を有するラミナ１４となっており、木裏どうしの積層面を一か所のみ有していることが好ましく、また全てのラミナ１４の木表が、ラミナ１４の積層方向において同一方向を向いても良い。木裏どうしの積層面を一か所のみ有している場合、木裏どうしの積層面を一カ所も備えていないものと比較して、耐火受け梁１１の全体としての反りをより効果的に抑制することが可能になる。
【００３６】
さらにまた、本実施形態では、本願出願人の出願に係る特願２０１７−６５４６６に記載されるように、燃え止まり層１１ｂを形成する集成材のラミナ１４は、燃え止まり層１１ｂに優れた燃え止まり機能を付与して、耐火性能に優れたものとする観点から、燃え止まり層１１ｂを構成するラミナ１４の構成木材に、晩材率が２０％以上且つ晩材寸法が０．６ｍｍ以上の木材を用いることが好ましい。晩材率が２０％以上且つ晩材寸法が０．６ｍｍ以上の木材は、少なくとも、燃え止まり層１１ｂを構成するラミナ１４として使用することが好ましい。斯かる木材を使用するラミナ１４は、燃え止まり層１１ｂを構成するラミナ１４のうち、ラミナ１４の積層方向の全体であっても良い。
【００３７】
燃え止まり層１１ｂを構成するラミナ１４の構成木材に、晩材率が２０％以上であり且つ晩材寸法が０．６ｍｍ以上である樹種の木材を用いることによって、燃え止まり層１１ｂの燃焼時に形状保持性に優れた炭化層が形成され、優れた燃え止まり性能を得ることが可能になる。また、晩材率が２０％以上であり且つ晩材寸法が０．６ｍｍ以上である樹種の木材は、一定の熱容量を有していることから、断熱を期待できる形状保持性に優れた炭化層下の熱容量を効率的にいかすことで、より高い耐火性能を得ることが可能になる。
【００３８】
ここで、晩材とは、木材の木部（もくぶ）のうち、密度が高く色が濃色の部分で、年輪の外縁を形成する部分であり、早材とは、木材の木部のうち、晩材に比して密度が低く色が淡色の部分であり、晩材に比べて細胞が大形で細胞壁も薄くなっている。晩材率（％）は、樹木の半径方向に延びる直線Ｌに沿って、晩材の長さＬ１と早材の長さＬ２と年輪の間隔Ｌ３とを測定したときに、次式によって表される。
晩材率（％）＝（晩材の長さＬ１／年輪の間隔Ｌ３）  ×１００・・・（１）
晩材寸法とは、上記の晩材部分の長さＬ１自体である。
【００３９】
燃え止まり層１１ｂの燃焼時に形状保持性に優れた炭化層が形成されるようにする観点から、燃え止まり層１１ｂの構成木材の晩材率は、２０％以上が好ましく、更に好ましくは３０％以上である。晩材率の上限は特にないが、例えば９０％以下であり、８０％以下が好ましい。また晩材寸法Ｌ１は、０．６ｍｍ以上が好ましく、０．７ｍｍ以上が更に好ましい。晩材率が２０％以上且つ晩材寸法が０．６ｍｍ以上である木材の例としては、針葉樹であれば、カラマツ、ベイマツ、グイマツ、ツガ等が挙げられ、広葉樹であれば、ケヤキ、くり、ミズナラ、タモ等が挙げられるが、これらに限られるものではない。
【００４０】
本実施形態では、図１〜図３に示すように、上述のようにして形成された耐火受け梁１１の、燃え止まり層１１ｂによる表面部分に取り付けられた接合金物１３を介して、耐火梁１２の端部が、耐火受け梁１１の側面部分に接合されようになっている。ここで、接合金物１３は、好ましくは金属製のプレート部材に折り曲げ加工等を施すことによって、略コの字断面形状を有するように加工形成された、公知の接合金物を用いることができる。略コの字断面形状を有する接合金物１３は、略コの字断面形状の中間辺部による当接プレート部１３ａと、一対の側辺部による張出しプレート部１３ｂとからなる。当接プレート部１３ａには、ボルト締着孔（図示せず）が開口形成されており、これらのボルト締着孔に、耐火受け梁１１のボルト挿通孔（図示せず）に挿通したボルト部材（図示せず）の頭部を締着することで、接合金物１３を耐火受け梁１１に固定できるようになっている。
【００４１】
また、接合金物１３の一対の張出しプレート部１３ｂには、ドリフトピンを係止させるためのドリフトピン係合孔（図示せず）やドリフトピン係合切欠き（図示せず）が、複数箇所に形成されており、接合すべき他の耐火梁１２の端部には、接合金物１３の一対の張出しプレート部１３ｂを、ぴったりと嵌め込むようにして挿入係止するための一対のスリット部１２ｃが形成されている。耐火受け梁１１の側面部分に取り付けられた接合金物１３の張出しプレート部１３ｂを、他の耐火梁１２の端部に形成されたスリット部１２ｃに各々嵌め込んだ後に、耐火梁１２の側面からドリフトピン（図示せず）を打ち込むだけの簡易な作業によって、他の耐火梁１２を、耐火受け梁１１の側面部分に、接合金物１３を介して一体として容易に接合固定できるようになっている。
【００４２】
本実施形態では、耐火受け梁１１の側面部分に接合される他の耐火梁１２もまた、日本農林規格によって規格された集成材によって形成されており、荷重支持層１２ａと、荷重支持層１２ａの周囲に配置された燃え止まり層１２ｂとを含んで構成されている。耐火梁１２は、同じ品質のラミナを積層した同一等級構成集成材から形成されていても良く、異等級構成集成材のうち、非対称異等級集成材や特定異等級集成材から形成されていても良いが、耐火受け梁１１と同様に、対称異等級集成材から形成されていることが好ましい。また、本実施形態では、耐火梁１２は、耐火受け梁１１と同様に、燃え止まり層１２ｂが、集成材のラミナの積層方向と垂直な方向に連接して荷重支持層１２ａを形成する対称異等級集成材と、同じ強度等級及び層構成の対称異等級集成材によって、不燃材料や難燃薬剤を用いることなく形成されていることが好ましい。耐火梁１２は、より具体的には、例えば日本農林規格による強度等級がＥ９５−Ｆ２７０の対称異等級集成材を用いて形成されていることが好ましい。さらに、本実施形態では、耐火梁１２は、耐火受け梁１１と同様に、当該耐火梁１２の下部の燃え止まり層１２ｂを形成する、下部ラミナ層を備えていることが好ましい。下部ラミナ層は、Ｅ９５−Ｆ２７０の層構成を備える対称異等級集成材における、内層用ラミナの外側に配置される中間層用ラミナから最外層用ラミナまでの層構成と、同じ層構成となっていることが好ましい。
【００４３】
そして、上述の構成を備える本実施形態の集成材による耐火梁の接合部構造１０によれば、集成材を用いて形成された荷重支持層１１ａと燃え止まり層１１ｂとを備える木質構造材による、耐火受け梁１１における接合部分の燃え止まり層１１ｂをプレカットすることなく、耐火梁１２の端面を、接合金物１３を介して耐火受け梁１１に容易に接合できるようにして、工期の短縮やコストの削減を図ることが可能になる。
【００４４】
すなわち、本実施形態の耐火梁の接合部構造１０によれば、耐火受け梁１１の側部の燃え止まり層１１ｂは、集成材のラミナ１４の積層方向Ｘと垂直な方向Ｙに連接して荷重支持層１１ａを形成する好ましくは対称異等級集成材１４と、同じ強度等級及び層構成の対称異等級集成材１４によって、不燃材料や難燃薬剤を用いることなく形成されており、側部の燃え止まり層１１ｂは、荷重支持層１１ａと同じ構造強度等級を満たす構造部分となっているので、接合金物１３を介した耐火梁１２の端部の接合強度を、耐火受け梁１１の表面部分の燃え止まり層１１ｂによって強固に支持することが可能になることから、耐火受け梁１１における側部の接合部分の燃え止まり層をプレカットして荷重支持層１１ａに直接に接合する必要がなく、これによって工期の短縮やコストの削減を図ることが可能になる。
【００４５】
また、本実施形態によれば、耐火受け梁１１は、これの下部の燃え止まり層１２ｂを形成する、下部ラミナ層１５ａを備えており、下部ラミナ層１５ａは、好ましくはＥ１０５−Ｆ３００の層構成を備える対称異等級集成材における、内層用ラミナの外側に配置される中間層用ラミナから最外層用ラミナまでの層構成と同じ層構成である、Ｌ１００のラミナ１４と、Ｌ１１０のラミナ１４と、Ｌ１２５のラミナ１４とを積層した、３層の層構成を備えていて、不燃材料や難燃薬剤を用いることなく形成されており、下部の燃え止まり層１２ｂもまた、荷重支持層１１ａと同様の構造強度等級を満たす構造部分となっているので、下部の燃え止まり層１２ｂに、他の構造用集成材を、接合部分の燃え止まり層をプレカットすることなく接合金物等を介して接合することが可能になる。
【００４６】
本実施形態では、耐火受け梁１１を形成する集成材として、日本農林規格による強度等級がＥ１０５−Ｆ３００の、カラマツを樹種とする対称異等級集成材を好ましく使用したが、本発明はこれに限定されるものではなく、例えば図５（ｂ）に示すような、ベイマツを樹種とする強度等級がＥ１２０−Ｆ３３０の構造用集成材等の、その他の日本農林規格による種々の対称異等級集成材を用いることができる。また、耐火受け梁１１を形成する集成材として、非対称異等級集成材や特定異等級集成材を用いることもできる他、同じ品質のラミナを積層した同一等級構成集成材を用いることもできる。
【００４７】
図６は、本発明の好ましい他の実施形態に係る集成材による耐火梁の接合部構造２０を示すものである。図６に示す本他の実施形態の集成材による耐火梁の接合部構造２０は、日本農林規格によって規格された好ましくは対称異等級集成材による矩形断面形状の耐火受け柱２１に、日本農林規格によって規格された集成材による耐火梁２２，２３の端部を、接合金物（図示せず）を介して接合するための接合部構造となっている。耐火受け柱２１及び耐火梁２２，２３は、荷重支持層２１ａ，２２ａ，２３ａと、荷重支持層２１ａ，２２ａ，２３ａの周囲に配置された燃え止まり層２１ｂ，２２ｂ，２３ｂとを含んで構成されている。耐火受け柱２１の矩形断面形状の長手方向の両側の端部の燃え止まり層２１ｂは、集成材のラミナ２４の積層方向Ｘに連接して荷重支持層２１ａを形成する対称異等級集成材の、内層用ラミナ２４の外側に配置される中間層用ラミナ２４から最外層用ラミナ２４までの層構成と同じ層構成を備えていて、不燃材料や難燃薬剤を用いることなく形成されており、耐火受け柱２１の矩形断面形状の長手方向の両側の端部の燃え止まり層２４ｂの表面部分に取り付けられた接合金物（図示せず）を介して、長手方向耐火梁２２の端部が、耐火受け柱２１の表面部分に接合されている。
【００４８】
また、本他の実施形態では、耐火受け柱２１の矩形断面形状の短手方向の両側の側部の燃え止まり層２１ｂは、集成材のラミナ２４の積層方向Ｘと垂直な方向Ｙに連接して荷重支持層２１ａを形成する対称異等級集成材と、同じ強度等級及び層構成の対称異等級集成材によって、不燃材料や難燃薬剤を用いることなく形成されており、燃え止まり層２１ｂの表面部分に取り付けられた接合金物（図示せず）を介して、垂直方向耐火梁２３の端部が、耐火受け柱２１の表面部分に接合されている。
【００４９】
さらに、本他の実施形態では、上記の実施形態と同様に、耐火受け柱２１を形成する対称異等級集成材は、好ましくは日本農林規格による強度等級がＥ１０５−Ｆ３００の集成材となっている。
【００５０】
本他の実施形態では、耐火受け柱２１は、図７（ａ）にも示すように、好ましくは強度等級がＥ１０５−Ｆ３００の層構成を備える対称異等級集成材である集成材ブロック２５を、３体、ラミナ２４の積層方向Ｘと垂直な方向Ｙに接合一体化することによって形成されており、各々の集成材ブロック２５は、強度の最も弱い内層用ラミナとして、Ｌ９０のラミナ２４を３層配置し、次に強度の大きな中間層用ラミナとして、Ｌ１００のラミナ２４を、内層用ラミナの上方及び下方に１層ずつ配置し、次に強度の大きな外層用ラミナとして、Ｌ１１０のラミナ２４を、内層用ラミナの上方及び下方に１層ずつ配置し、次に強度の大きな最外層用ラミナとして、Ｌ１２５のラミナ２４を、外層用ラミナの上方及び下方に１層ずつ配置すると共に、これらの積層したラミナ２４を、例えばレゾンシノール樹脂接着剤を用いて互いに接合一体化することによって、得られるようになっている。
【００５１】
また、本他の実施形態では、Ｅ１０５−Ｆ３００の層構成を備える対称異等級集成材である集成材ブロッ２５は、これのラミナ２４の積層方向Ｘの両側の端部に接合一体されて、耐火受け柱２１の矩形断面の長手方向の両側の端部に燃え止まり層２１ｂを形成する、端部ラミナ層２５ａを備えている。端部ラミナ層２５ａは、好ましくはＥ１０５−Ｆ３００の層構成を備える対称異等級集成材における、内層用ラミナの外側に配置される中間層用ラミナから最外層用ラミナまでの層構成と同じ層構成である、Ｌ１００のラミナ２４と、Ｌ１１０のラミナ２４と、Ｌ１２５のラミナ２４とを積層した、３層の層構成を備えている。
【００５２】
上述の構成を有する３体の集成材ブロッ２５は、好ましくはレゾルシノール・フェノール樹脂接着剤又はレゾルシノール樹脂接着剤に増粘剤を混入させた接着剤を用いて、ラミナ２４の積層方向Ｘと垂直な方向Ｙに一体として接合することによって、図６及び図７（ａ）に示すような、荷重支持層２１ａと、燃え止まり層２１ｂとを含んで構成される耐火受け柱２１が得られるようになっている。得られた耐火受け柱２１は、これの矩形断面の長手方向の両側の端部の燃え止まり層２１ｂを形成する、端部ラミナ層２５ａを備えており、端部ラミナ層２５ａは、好ましくはＥ１０５−Ｆ３００の層構成を備える対称異等級集成材における、内層用ラミナの外側に配置される中間層用ラミナから最外層用ラミナまでの層構成と同じ層構成である、Ｌ１００のラミナ２４と、Ｌ１１０のラミナ２４と、Ｌ１２５のラミナ２４とを積層した、３層の層構成を備えており、これによって長手方向の両側の端部の燃え止まり層２１ｂは、荷重支持層２１ａと同様の構造強度等級を満たす構造部分となっている。
【００５３】
これによって、長手方向の端部の燃え止まり層１２ｂに、接合金物を介して、長手方向耐火梁２２を、接合部分の燃え止まり層をプレカットすることなく接合することが可能になるので、上記の実施形態の接合部構造１０と同様の作用効果が奏される。
【００５４】
また、本他の実施形態では、耐火受け柱２１の側部の燃え止まり層２１ｂは、集成材のラミナ２４の積層方向Ｘと垂直な方向Ｙに連接して荷重支持層２１ａを形成する好ましくは対称異等級集成材２４と、同じ強度等級及び層構成の対称異等級集成材２４によって、不燃材料や難燃薬剤を用いることなく形成されて形成されており、側部の燃え止まり層２１ｂは、荷重支持層２１ａと同じ構造強度等級を満たす構造部分となっている。
【００５５】
これによって、接合金物を介した垂直方向耐火梁２３の端部の接合強度を、耐火受け柱２１の表面部分の燃え止まり層２１ｂによって強固に支持することが可能になることから、垂直方向耐火梁２３を、接合部分の燃え止まり層をプレカットすることなく接合することが可能になるので、上記の実施形態の接合部構造１０と同様の作用効果が奏される。
【００５６】
本実施形態では、耐火受け柱２１を形成する集成材として、日本農林規格による強度等級がＥ１０５−Ｆ３００の、カラマツを樹種とする対称異等級集成材を好ましく使用したが、本発明はこれに限定されるものではなく、例えば図７（ｂ）に示すような、ベイマツを樹種とする強度等級がＥ１２０−Ｆ３３０の構造用集成材等の、その他の日本農林規格による種々の対称異等級集成材を用いることができる。また、耐火受け梁２１を形成する集成材として、非対称異等級集成材や特定異等級集成材を用いることもできる他、同じ品質のラミナを積層した同一等級構成集成材を用いることもできる。
【符号の説明】
【００５７】
１０，２０  耐火梁の接合部構造
１１  耐火受け梁
１１ａ  荷重支持層
１１ｂ  燃え止まり層
１２  耐火梁
１２ａ  荷重支持層
１２ｂ  燃え止まり層
１２ｃ  スリット部
１３  接合金物
１３ａ  当接プレート部
１３ｂ  張出しプレート部
１４  ラミナ
１５  集成材ブロック
１５ａ  下部ラミナ層
２１  耐火受け柱
２１ａ  荷重支持層
２１ｂ  燃え止まり層
２２  長手方向耐火梁
２２ａ  荷重支持層
２２ｂ  燃え止まり層
２３  垂直方向耐火梁
２３ａ  荷重支持層
２３ｂ  燃え止まり層
２４  ラミナ
２５  集成材ブロック
２５ａ  端部ラミナ層
Ｘ    ラミナの積層方向
Ｙ    ラミナの積層方向と垂直な方向
【図１】
2018184732.tif 000003
【図２】
2018184732.tif 000004
【図３】
2018184732.tif 000005
【図４】
2018184732.tif 000006
【図５】
2018184732.tif 000007
【図６】
2018184732.tif 000008
【図７】
2018184732.tif 000009
【図８】
2018184732.tif 000010